(57)【要約】【課題】ドライブ方式の自由度が高い電流ドライバー内蔵ＩＣを提供する。【解決手段】入力端子ＴＸＩ１・ＴＸＩ２・ＴＸＩ３のそれぞれに対して２値の入力信号が入力されると、ドライブ電流値制御ブロック２は、各入力端子ＴＸＩ１・ＴＸＩ２・ＴＸＩ３に入力される入力信号に対していずれのＬＥＤドライバー電流を生成するかという組み合わせを他の組み合わせとは独立に選択する。ＬＥＤドライバー３は出力端子ＴＸＯ１に、ＬＥＤドライバー４は出力端子ＴＸＯ２に、ＬＥＤドライバー５は出力端子ＴＸＯ３に、それぞれ電流を出力し、対応して接続されたＬＥＤ６・７・８が光信号を送信する。【選択図】  図１
2004193361.tif 000002
【特許請求の範囲】
【請求項１】
入力端子に入力される入力信号に対応した電流を電流ドライバーによって生成して所定の出力端子から出力する電流ドライバー内蔵ＩＣにおいて、
１つもしくは複数の上記入力端子と、複数の上記電流ドライバーと、複数の上記出力端子と、各上記入力端子に入力される上記入力信号に対していずれの上記電流ドライバーで電流を生成するかという組み合わせのうち所定のものを他の上記組み合わせとは独立に選択する選択手段とを備えていることを特徴とする電流ドライバー内蔵ＩＣ。
【請求項２】
上記電流ドライバーを２つ備えていることを特徴とする請求項１に記載の電流ドライバー内蔵ＩＣ。
【請求項３】
上記入力信号に対して上記電流ドライバーが生成する電流はＯＮ値とＯＦＦ値との２値からなり、上記電流ドライバーの一方は、上記ＯＮ値を複数通り生成することが可能であることを特徴とする請求項２に記載の電流ドライバー内蔵ＩＣ。
【請求項４】
上記選択手段に上記電流ドライバーを選択する指示を与える制御信号が入力される制御端子を備えていることを特徴とする請求項１ないし３のいずれかに記載の電流ドライバー内蔵ＩＣ。
【請求項５】
上記制御端子を複数備えるとともに各上記制御端子には２値の上記制御信号が入力され、
上記入力端子を１つもしくは２つ備えるとともに各上記入力端子には２値の上記入力信号が入力され、
上記制御端子に入力される上記制御信号と上記入力端子に入力される上記入力信号とからなる真理値表に基づいて、上記選択手段による上記電流ドライバーの選択を含めて上記出力端子からの電流の出力方式を、予め定められた出力方式の中から選択することを特徴とする請求項４に記載の電流ドライバー内蔵ＩＣ。
【請求項６】
上記制御端子を２つ備えていることを特徴とする請求項４または５に記載の電流ドライバー内蔵ＩＣ。
【請求項７】
上記電流ドライバーをＩｒＤＡ方式のＬＥＤ駆動用に用いることを特徴とする請求項１ないし６のいずれかに記載の電流ドライバー内蔵ＩＣ。
【請求項８】
上記入力信号は１種類であることを特徴とする請求項１ないし７のいずれかに記載の電流ドライバー内蔵ＩＣ。
【発明の詳細な説明】
【０００１】
【発明の属する技術分野】
本発明は、入力信号に対応した電流を電流ドライバーによって生成して出力する電流ドライバー内蔵ＩＣに関するものである。
【０００２】
【従来の技術】
ＩｒＤＡ赤外線通信用ＩＣは電流ドライバーを内蔵し、入力信号に対応した電流を生成してＬＥＤ駆動用に出力する。図５にＩｒＤＡ赤外線通信用ＩＣ１００の等価回路を示す。受信側は、フォトダイオード１０１から端子ＨＡＩＮを介してＩＣに入った受信電流信号はプリアンプ１０２とこれに結合されたアンプ１０３とで増幅され、コンパレータ１０４および出力段１０５を経て出力端子ＲＸへ電圧信号として出力される。送信側はＴＸＩ端子からロジック回路１０６に送信信号が入力され、ＳＤ端子からロジック回路１０６に制御信号が入力される。送信信号はＬＥＤドライバー１０７に入力され、ＬＥＤドライバー１０７は送信信号に対応した電流を生成する。この電流はＴＸＯ端子からＩＣ外部に出力され、アノード側に電源が接続されたＬＥＤ１０８を駆動する。
【０００３】
このように、ＩｒＤＡ赤外線通信用ＩＣ１００は、受信と送信との機能を兼ね備えていることで、ＩｒＤＡ間での双方向通信を可能にしている。通信レートは、現在では２．４ｋｂｐｓ〜４Ｍｂｐｓまであり、また送信の光の強度は２０ｃｍの送受信を可能にするローパワーと、１ｍの送受信を可能にするハイパワーとがある。このシステムは、それぞれの送信レートおよび発光強度で相手のＩｒＤＡと情報の送受信を行うシステムとなっている。
【０００４】
以下では、この送信側に関する説明を行う。図６に、ＩｒＤＡ赤外線通信装置の送信部の等価回路を示す。構成としては、送信の入力端子ＴＸＩから電圧波形で特徴付けられる送信信号がＬＥＤドライバー１０７に入力されると、ＬＥＤドライバー１０７が対応する電流を生成し、送信出力端子ＴＸＯから出力し、ＬＥＤ１０８をドライブするものとなっている。
【０００５】
また、図７ないし図１１に、ドライブ電流値を複数持つ場合に現在用いられている上記送信部のドライブ方式を示す。
【０００６】
図７は方式１の構成を示すものであり、１つの入力端子ＴＸＩ、１つのＬＥＤドライバー１０７ａ、および１つの出力端子ＴＸＯを備えている。この方式は、ドライブ電流をＳＤ端子によって切り替え制御する方式である。ＳＤ端子は通常、回路動作を停止（シャットダウン）させるのに用いるが、ここではドライブ電流制御端子としても併用する。
【０００７】
図８は方式２の構成を示すものであり、１つの入力端子ＴＸＩ、１つのＬＥＤドライバー１０７ｂ、および１つの出力端子ＴＸＯを備えている。この方式は、ドライブ電流をＲＭ端子によって切り替え制御する方式である。
【０００８】
図９は方式３の構成を示すものであり、２つの入力端子ＴＸＩ１０１・ＴＸＩ１０２、入力端子ＴＸＩ１０１に対応した１つのＬＥＤドライバー１０７ｃ、入力端子ＴＸＩ１０２に対応した１つのＬＥＤドライバー１０７ｄ、および１つの出力端子ＴＸＯを備えている。この方式は、入力端子ＴＸＩ１０１・ＴＸＩ１０２のいずれに入力信号が入力されるかで使用するＬＥＤドライバーが決まり、そのＬＥＤドライバーでドライブ電流を制御する方式である。
【０００９】
図１０は方式４の構成を示すものであり、１つの入力端子ＴＸＩ、１つのＬＥＤドライバー１０７ｅ、および２つの出力端子ＴＸＯ１０１・ＴＸＯ１０２を備えている。出力端子ＴＸＯ１０１にはＬＥＤ１０８ａが、出力端子ＴＸＯ１０２にはＬＥＤ１０８ｂがそれぞれ接続される。この方式は、ＳＤ端子に入力するラッチでドライブ電流を制御する方式である。
【００１０】
図１１は方式５の構成を示すものであり、２つの入力端子ＴＸＩ１０１・ＴＸＩ１０２、入力端子ＴＸＩ１０１に対応した１つのＬＥＤドライバー１０７ｆ、入力端子ＴＸＩ１０２に対応した１つのＬＥＤドライバー１０７ｇ、ＬＥＤドライバー１０７ｆに対応した１つの出力端子ＴＸＯ１０１、およびＬＥＤドライバー１０７ｇに対応した１つの出力端子ＴＸＯ１０２を備えている。出力端子ＴＸＯ１０１にはＬＥＤ１０８ａが、出力端子ＴＸＯ１０２にはＬＥＤ１０８ｂがそれぞれ接続される。この方式は、ＳＤ端子およびＲＭ端子に入力される信号、および入力端子ＴＸＩ１０１・ＴＸＩ１０２のいずれに入力信号が入力されるかでドライブ電流を決定する方式である。
【００１１】
また、特許文献１には、１つの入力端子に入力信号が入力され、通信を阻害する外来光の強度に応じて２つの赤外光発光部のうちの所定の一方だけを用いるか、２つとも用いるかを切り替えることができるようになっている送信部が記載されている。
【００１２】
【特許文献１】
特開平１０−１４５２９６号公報
（公開日：平成１０年（１９９８）５月２９日）
【００１３】
【発明が解決しようとする課題】
しかしながら、従来の電流ドライバー（上記例ではＬＥＤドライバー）内蔵ＩＣでは、いずれの入力端子に入力された入力信号に対していずれの電流ドライバーによって電流を生成して出力するのかということが決まってしまい、様々なドライブ方式に対応することができない。ドライブ方式は、入力端子および出力端子が幾つあって、それを制御するのにどのような端子をどうするのかということによって決まる。
【００１４】
従って、前述の方式１〜３、および５では各入力端子に入力された入力信号に対しては使用する電流ドライバーおよび出力端子が決まってしまい、ドライブ方式が１つであることは明らかである。また、方式４や特許文献１の技術も端子の数から言ってドライブ方式は１つである。方式４や特許文献１の技術においては、１つの入力端子に入力される入力信号に対応した電流を２通りに出力することができるとは言え、どちらの出力を用いるかは独立に制御されるのではなく、制御信号の入力によって、一方の電流出力と他方の電流出力とに対して予め定められた相関関係に従う方法でしか制御を行わないようになっている。
【００１５】
従って、従来は、電流ドライバー内蔵ＩＣにおいていずれのドライブ方式を取るかは設計時に決定するようになっていることから、ＩＣチップが完成してから複数のドライブ方式が要求されても、その要望に対応することはできなかった。
【００１６】
このように、従来では、電流ドライバー内蔵ＩＣのドライブ方式に自由度がないという問題があった。
【００１７】
本発明は、上記従来の問題点に鑑みなされたものであり、その目的は、ドライブ方式の自由度が高い電流ドライバー内蔵ＩＣを提供することにある。
【００１８】
【課題を解決するための手段】
本発明の電流ドライバー内蔵ＩＣは、上記課題を解決するために、入力端子に入力される入力信号に対応した電流を電流ドライバーによって生成して所定の出力端子から出力する電流ドライバー内蔵ＩＣにおいて、１つもしくは複数の上記入力端子と、複数の上記電流ドライバーと、複数の上記出力端子と、各上記入力端子に入力される上記入力信号に対していずれの上記電流ドライバーで電流を生成するかという組み合わせのうち所定のものを他の上記組み合わせとは独立に選択する選択手段とを備えていることを特徴としている。
【００１９】
上記の発明によれば、１つもしくは複数の入力端子のそれぞれに対して、入力信号が入力されるとそれに対応した電流を電流ドライバーで生成するが、選択手段は、入力信号と電流ドライバーとの組み合わせのうち所定のものについては、他の組み合わせとは独立に選択する。選択された電流ドライバーが生成した電流は所定の出力端子から出力される。
【００２０】
このように、入力端子と電流ドライバーとの組み合わせの選択を、ある程度独立して行うことにより、完成したＩＣの状態で、各入力端子に入力された入力信号に対応した電流をいずれの電流ドライバーによって生成するかということがそれだけ自由に決められるようになる。従って、それだけ多くのドライブ方式に対応することができる。この結果、ドライブ方式の自由度が高い電流ドライバー内蔵ＩＣを提供することができる。
【００２１】
さらに本発明の電流ドライバー内蔵ＩＣは、上記課題を解決するために、上記電流ドライバーを２つ備えていることを特徴としている。
【００２２】
上記の発明によれば、ドライブ電流の生成の仕方を２通りに切り替えることができるように要望する場合に、２つの電流ドライバーのそれぞれを切り替えて電流を生成するだけで対応することができる。
【００２３】
さらに本発明の電流ドライバー内蔵ＩＣは、上記課題を解決するために、上記入力信号に対して上記電流ドライバーが生成する電流はＯＮ値とＯＦＦ値との２値からなり、上記電流ドライバーの一方は、上記ＯＮ値を複数通り生成することが可能であることを特徴としている。
【００２４】
上記の発明によれば、電流ドライバーの生成する電流がＯＮ値とＯＦＦ値との２値からなる場合に、２つある電流ドライバーの内の１つはそのＯＮ値を複数通りに設定することができる。
【００２５】
さらに本発明の電流ドライバー内蔵ＩＣは、上記課題を解決するために、上記選択手段に上記電流ドライバーを選択する指示を与える制御信号が入力される制御端子を備えていることを特徴としている。
【００２６】
上記の発明によれば、ＩＣの外部から制御端子に電流ドライバーの選択の指示を与える制御信号を入力することができる。
【００２７】
さらに本発明の電流ドライバー内蔵ＩＣは、上記課題を解決するために、上記制御端子を複数備えるとともに各上記制御端子には２値の上記制御信号が入力され、上記入力端子を１つもしくは２つ備えるとともに各上記入力端子には２値の上記入力信号が入力され、上記制御端子に入力される上記制御信号と上記入力端子に入力される上記入力信号とからなる真理値表に基づいて、上記選択手段による上記電流ドライバーの選択を含めて上記出力端子からの電流の出力方式を、予め定められた出力方式の中から選択することを特徴としている。
【００２８】
上記の発明によれば、１つもしくは２つの入力端子と複数の制御端子とに、真理値表の通りに２値の入力信号および２値の制御信号を入力することによって、電流ドライバーの選択を含めた出力端子からの電流の多数の出力方式を実現することができる。
【００２９】
さらに本発明の電流ドライバー内蔵ＩＣは、上記課題を解決するために、上記制御端子を２つ備えていることを特徴としている。
【００３０】
上記の発明によれば、２つの制御端子に制御信号を入力することによって電流値を制御したい場合に対応することができる。
【００３１】
さらに本発明の電流ドライバー内蔵ＩＣは、上記課題を解決するために、上記電流ドライバーをＩｒＤＡ方式のＬＥＤ駆動用に用いることを特徴としている。
【００３２】
上記の発明によれば、ＩｒＤＡ用の１チップの電流ドライバー内蔵ＩＣにおいて複数のドライブ方式を選択することができる。
【００３３】
さらに本発明の電流ドライバー内蔵ＩＣは、上記課題を解決するために、上記入力信号は１種類であることを特徴としている。
【００３４】
上記の発明によれば、１種類の入力信号に対して、様々なドライブ方式を実現することができる。
【００３５】
【発明の実施の形態】
本発明の実施の形態について図１ないし図４に基づいて説明すれば以下の通りである。
【００３６】
図１に、本実施の形態に係る電流ドライバー内蔵ＩＣ１の構成を示す。電流ドライバー内蔵ＩＣ１は例えばＩｒＤＡ方式の通信に使用されるＩＣであり、入力端子ＴＸＩ１・ＴＸＩ２・ＴＸＩ３・…、ドライブ電流値制御ブロック２、ＬＥＤドライバー３・４・５・…、および出力端子ＴＸＯ１・ＴＸＯ２・ＴＸＯ３・…を備えている。なお、ここでは入力端子、ＬＥＤドライバー、および出力端子がそれぞれ３つの場合を説明するが、一般には複数でよい。また、入力端子は１つでもよい。さらに、入力端子、ＬＥＤドライバー、および出力端子は互いに同数でなくてもよい。
【００３７】
入力端子ＴＸＩ１・ＴＸＩ２・ＴＸＩ３のそれぞれに対して２値の入力信号が入力されると、入力信号はドライブ電流値制御ブロック２に入力される。ドライブ電流値制御ブロック（選択手段）２は、各入力端子ＴＸＩ１・ＴＸＩ２・ＴＸＩ３に入力される入力信号に対していずれのＬＥＤドライバーによって電流を生成するかという組み合わせを他の組み合わせとは独立に選択する。例えば、入力端子ＴＸＩ１に入力された入力信号に対してＬＥＤドライバー３で電流を生成するのと、入力端子ＴＸＩ１に入力された入力信号に対してＬＥＤドライバー４で電流を生成するのとを独立に選択する。あるいはまた、入力端子ＴＸＩ２に入力された入力信号に対してＬＥＤドライバー４で電流を生成するのと、入力端子ＴＸＩ３に入力された入力信号に対してＬＥＤドライバー５で電流を生成するのとを独立に選択する。すなわち、これらの選択では、一方の選択結果が他方の選択条件に依存しない。
【００３８】
また、これらの組み合わせの全てを独立に選択するのには限られず、全ての組み合わせのうち所定のものが他の組み合わせに対して独立に選択されるようになっていればよい。さらに、入力端子ＴＸＩ１・ＴＸＩ２・ＴＸＩ３のいずれか１つにのみ入力信号が入力されるのか、複数の入力端子に同時に入力信号が入力されるのかといったことも問わない。
【００３９】
ＬＥＤドライバー（電流ドライバー）３・４・５は、ここではＯＮ値とＯＦＦ値との２値からなる電流を生成する。ＬＥＤドライバー３は出力端子ＴＸＯ１に、ＬＥＤドライバー４は出力端子ＴＸＯ２に、ＬＥＤドライバー５は出力端子ＴＸＯ３に、それぞれ電流を出力する。出力端子ＴＸＯ１・ＴＸＯ２・ＴＸＯ３には、順にＬＥＤ６・７・８が接続され、電流が出力された出力端子に接続されたＬＥＤが光信号を送信する。
【００４０】
上述した構成の原則に従って、例えばＩＣに２個の入力端子および２個の出力端子を備え、入力端子とＬＥＤドライバーとの組み合わせ制御が数種類できれば、製品としてのＩＣの使用方法にはそれだけの自由度がもてる。従って、複数の使用方法を要望するユーザー（その製品を使う人）に対して１つのＩＣチップで全て対応できる製品を作ることも可能になる。回路設計時に将来的にどのドライブ方式を採用するか決定されていない場合、またはＩＣチップ完成後に同時に複数のドライブ方式が要求された場合のいずれの要求にも対応可能となる。これにより、１つのＩＣチップを開発しておけば、使用する上で、入力端子や出力端子を１個とするか２個とするかといったことや、その制御方法も複数通り選べるようになる。
【００４１】
このように、入力端子ＴＸＩ１・ＴＸＩ２・ＴＸＩ３とＬＥＤドライバー３・４・５との組み合わせの選択を、ある程度独立して行うことにより、完成したＩＣの状態で、各入力端子に入力された入力信号に対応した電流をいずれの電流ドライバーによって生成するかということがそれだけ自由に決められるようになる。従って、それだけ多くのドライブ方式に対応することができる。このように、電流ドライバー内蔵ＩＣ１は、ドライブ方式の自由度が高い電流ドライバー内蔵ＩＣである。
【００４２】
次に、図２に、別の電流ドライバー内蔵ＩＣ１１の構成を示す。電流ドライバー内蔵ＩＣ１１は、入力端子ＴＸＩ１１・ＴＸＩ１２、ＳＤ端子Ｐ１、ＲＭ端子Ｐ２、ドライブ電流値制御ブロック１２、ＬＥＤドライバー（電流ドライバー）１３・１４、および出力端子ＴＸＯ１１・ＴＸＯ１２を備えている。ＬＥＤドライバー（電流ドライバー）１３・１４に対して順に、出力端子ＴＸＯ１１・ＴＸＯ１２が接続され、それぞれＬＥＤ１５、ＬＥＤ１６へ電流を出力する。
【００４３】
電流ドライバー内蔵ＩＣ１１は、前記電流ドライバー内蔵ＩＣ１の入力端子、ＬＥＤドライバー、および出力端子をそれぞれ２つとし、ドライブ電流値制御ブロック（選択手段）１２がどのＬＥＤドライバーによって電流を生成するのかを、ＳＤ端子Ｐ１およびＲＭ端子Ｐ２という制御端子に制御信号を入力して指示するようにしたものである。ＳＤ端子Ｐ１は、回路をシャットダウンする時に用いるＳＤ端子を上記制御信号が入力される端子として併用したものであり、ＲＭ端子Ｐ２はドライブ電流制御専用の端子である。
【００４４】
これにより、ＩＣの外部からＳＤ端子Ｐ１およびＲＭ端子Ｐ２にＬＥＤドライバー１３・１４の選択の指示を与えることができる。
【００４５】
また、ＬＥＤドライバーを２つ備えているので、例えばＯＮ値を２通りに切り替えるといったようにドライブ電流の生成の仕方を２通りに切り替えることができるように要望する場合に、２つのＬＥＤドライバー１３・１４のそれぞれを切り替えて電流を生成するだけで対応することができる。
【００４６】
次に、図３に、上記電流ドライバー内蔵ＩＣ１１におけるドライブ電流値制御ブロック１２の構成をスイッチで擬似的に示す。
【００４７】
ドライブ電流値制御ブロック１２は、スイッチＳＷ１・ＳＷ２を備えている。スイッチＳＷ１は入力端子ａおよび出力端子ｂ１・ｂ２を備えており、ＳＤ端子Ｐ１およびＲＭ端子Ｐ２に入力される制御信号に応じて、入力端子ａを出力端子ｂ１あるいはｂ２に切り替え接続する。スイッチＳＷ２は入力端子ｃおよび出力端子ｄ１・ｄ２を備えており、ＳＤ端子Ｐ１およびＲＭ端子Ｐ２に入力される制御信号に応じて、入力端子ｃを出力端子ｄ１あるいはｄ２に切り替え接続する。スイッチＳＷ１の出力端子ｂ１はＬＥＤドライバー１３の入力端子に、スイッチＳＷ１の出力端子ｂ２はＬＥＤドライバー１４の入力端子に、スイッチＳＷ２の出力端子ｄ１はＬＥＤドライバー１３の入力端子に、スイッチＳＷ２の出力端子ｄ２はＬＥＤドライバー１４の入力端子に、それぞれ接続されている。
【００４８】
これにより、入力端子ＴＸＩ１１・ＴＸＩ１２のそれぞれを、ＬＥＤドライバー１３・１４のそれぞれに接続することができる。この接続関係は、ＳＤ端子Ｐ１およびＲＭ端子Ｐ２に入力される制御信号によって決定される。
【００４９】
次に、図４に、図３のドライブ電流値制御ブロック１２を論理回路で表現した場合の構成を示す。なお、この構成には、ＬＥＤドライバー１４の電流値を切り替える電流値制御回路２１が追加されている。上記論理回路は、ＯＲゲート３１・３９、ＡＮＤゲート３２・３３・３４・３５・３６・３７・３８、およびインバータ４０・４１・４２を備えている。ＯＲゲートおよびＡＮＤゲートは全て２入力である。
【００５０】
ＯＲゲート３１の入力端子はＳＤ端子Ｐ１およびＲＭ端子Ｐ２に接続されている。ＡＮＤゲート３２の入力端子は入力端子ＴＸＩ１・ＴＸＩ２に接続されている。ＡＮＤゲート３３の入力端子はＡＮＤゲート３２の出力端子およびインバータ４２の出力端子に接続されている。ＡＮＤゲート３４の入力端子は入力端子ＴＸＩ１およびインバータ４０の出力端子に接続されている。ＡＮＤゲート３５の入力端子はインバータ４１の出力端子および入力端子ＴＸＩ２に接続されている。ＡＮＤゲート３６の入力端子はＡＮＤゲート３４の出力端子およびインバータ４２の出力端子に接続されている。
【００５１】
ＡＮＤゲート３７の入力端子はＯＲゲート３１の出力端子およびＡＮＤゲート３２の出力端子に接続されている。ＡＮＤゲート３８の入力端子はＡＮＤゲート３３の出力端子およびＡＮＤゲート３６の出力端子に接続されている。ＯＲゲート３９の入力端子はＡＮＤゲート３５の出力端子およびＡＮＤゲート３７の出力端子に接続されている。インバータ４０の入力端子は入力端子ＴＸＩ２に接続されている。インバータ４１の入力端子は入力端子ＴＸＩ１に接続されている。インバータ４２の入力端子はＯＲゲート３１の出力端子に接続されている。
【００５２】
ＡＮＤゲート３８の出力端子はＬＥＤドライバー１３の入力端子に接続されている。ＯＲゲート３９の出力端子はＬＥＤドライバー１４の入力端子に接続されている。
【００５３】
また、電流値制御回路２１は、入力端子ＴＸ１・ＴＸ２、ＳＤ端子Ｐ１、ＲＭ端子Ｐ２をそれぞれ入力端子とする。そして、入力端子ＴＸ１・ＴＸ２に入力された入力信号、ＳＤ端子Ｐ１およびＲＭ端子Ｐ２に入力された制御信号を基に、ＬＥＤドライバー１４の電流のＯＮ値を複数通りに切り替えるようになっている。ＬＥＤドライバー１３とＬＥＤドライバー１４とは、ここでは電流のＯＮ値に大小２通り（一方が大で他方が小）を設けるために備えられている。
【００５４】
そしてここでは、ＳＤ端子Ｐ１およびＲＭ端子Ｐ２に入力される制御信号と、入力端子ＴＸＩ１・ＴＸＩ２に入力される入力信号とからなる真理値表に基づいて、ドライブ電流値制御ブロック１２によるＬＥＤドライバー１３・１４の選択と、ＬＥＤドライバー１４の電流値をどのように設定するかということとを含む電流の出力方式を、予め定められた出力方式の中から選択するようになっている。表１に、入力端子が２つの場合の上記真理値表を示す。
【００５５】
【表１】
2004193361.tif 000003
【００５６】
前記予め定められた出力方式のそれぞれは、表１に記載したドライブ方式およびモードのそれぞれに対応している。そして、各ドライブ方式およびモードにおける出力端子ＴＸＯ１・ＴＸＯ２の出力電流の値（ＯＮ値）をＩ１〜Ｉ８で示してある。この場合、ＬＥＤドライバー１４のＯＮ値はＩ２〜Ｉ８の７通りに設定される。
【００５７】
既出の図７〜図１１に示した、現在考えられる５通りの電流ドライブ方式については、
方式１および４は真理値表のドライブ方式１▲１▼および１▲２▼で、
方式２は真理値表のドライブ方式２▲１▼および２▲２▼で、
方式３および５は真理値表のドライブ方式３▲１▼および３▲２▼で、
それぞれ実現することができる。
【００５８】
このように２つの送信信号入力端子、２つの送信電流出力端子、および２つの制御端子を備えているので、上記の真理値表に従い出力電流値を決定するようにしておけば、現在考えうる５通りの電流ドライブ方式全てに対応することができる。また、上記真理値表によれば、Ａ〜Ｆと記載されているように前記５通りを越えるドライブ方式を選択することが可能であり、ＬＥＤドライバー１３・１４の選択を含めた出力端子ＴＸＯ１・ＴＸＯ２からの電流の多数の出力方式を実現することができるのが分かる。
【００５９】
また、１つの送信信号入力端子、２つの送信電流出力端子、および２つの制御端子を備える場合、方式１，２，４の３通りの電流ドライブ方式に対応することができる。前記例では入力信号が２種類であったが、この場合の入力信号は１種類である。また、入力端子の数に関わらず、入力信号は１種類であってもよい。１種類の入力信号に対しても、様々なドライブ方式を実現することができる。
【００６０】
【発明の効果】
本発明の電流ドライバー内蔵ＩＣは、以上のように、１つもしくは複数の上記入力端子と、複数の上記電流ドライバーと、複数の上記出力端子と、各上記入力端子に入力される上記入力信号に対していずれの上記電流ドライバーで電流を生成するかという組み合わせのうち所定のものを他の上記組み合わせとは独立に選択する選択手段とを備えている構成である。
【００６１】
それゆえ、完成したＩＣの状態で、各入力端子に入力された入力信号に対応した電流をいずれの電流ドライバーによって生成するかということがそれだけ自由に決められるようになる。従って、それだけ多くのドライブ方式に対応することができる。この結果、ドライブ方式の自由度が高い電流ドライバー内蔵ＩＣを提供することができるという効果を奏する。
【００６２】
さらに本発明の電流ドライバー内蔵ＩＣは、以上のように、上記電流ドライバーを２つ備えている構成である。
【００６３】
それゆえ、ドライブ電流の生成の仕方を２通りに切り替えることができるように要望する場合に、２つの電流ドライバーのそれぞれを切り替えて電流を生成するだけで対応することができるという効果を奏する。
【００６４】
さらに本発明の電流ドライバー内蔵ＩＣは、以上のように、上記入力信号に対して上記電流ドライバーが生成する電流はＯＮ値とＯＦＦ値との２値からなり、上記電流ドライバーの一方は、上記ＯＮ値を複数通り生成することが可能である構成である。
【００６５】
それゆえ、電流ドライバーの生成する電流がＯＮ値とＯＦＦ値との２値からなる場合に、２つある電流ドライバーの内の１つはそのＯＮ値を複数通りに設定することができるという効果を奏する。
【００６６】
さらに本発明の電流ドライバー内蔵ＩＣは、以上のように、上記選択手段に上記電流ドライバーを選択する指示を与える制御信号が入力される制御端子を備えている構成である。
【００６７】
それゆえ、ＩＣの外部から制御端子に電流ドライバーの選択の指示を与える制御信号を入力することができるという効果を奏する。
【００６８】
さらに本発明の電流ドライバー内蔵ＩＣは、以上のように、上記制御端子を複数備えるとともに各上記制御端子には２値の上記制御信号が入力され、上記入力端子を１つもしくは２つ備えるとともに各上記入力端子には２値の上記入力信号が入力され、上記制御端子に入力される上記制御信号と上記入力端子に入力される上記入力信号とからなる真理値表に基づいて、上記選択手段による上記電流ドライバーの選択を含めて上記出力端子からの電流の出力方式を、予め定められた出力方式の中から選択する構成である。
【００６９】
それゆえ、入力端子と制御端子とに、真理値表の通りに２値の入力信号および２値の制御信号を入力することによって、電流ドライバーの選択を含めた出力端子からの電流の多数の出力方式を実現することができるという効果を奏する。
【００７０】
さらに本発明の電流ドライバー内蔵ＩＣは、以上のように、上記制御端子を２つ備えている構成である。
【００７１】
それゆえ、２つの制御端子に制御信号を入力することによって電流値を制御したい場合に対応することができるという効果を奏する。
【００７２】
さらに本発明の電流ドライバー内蔵ＩＣは、以上のように、上記電流ドライバーをＩｒＤＡ方式のＬＥＤ駆動用に用いる構成である。
【００７３】
それゆえ、ＩｒＤＡ用の１チップの電流ドライバー内蔵ＩＣにおいて複数のドライブ方式を選択することができるという効果を奏する。
【００７４】
さらに本発明の電流ドライバー内蔵ＩＣは、以上のように、上記入力信号は１種類である構成である。
【００７５】
それゆえ、１種類の入力信号に対して、様々なドライブ方式を実現することができるという効果を奏する。
【図面の簡単な説明】
【図１】本発明の実施の形態に係る第１の電流ドライバー内蔵ＩＣの構成を示す回路ブロック図である。
【図２】本発明の実施の形態に係る第２の電流ドライバー内蔵ＩＣの構成を示す回路ブロック図である。
【図３】図２の電流ドライバー内蔵ＩＣのドライブ電流値制御ブロックをスイッチで表現した場合の構成を示す回路ブロック図である。
【図４】図３の電流ドライバー内蔵ＩＣのドライブ電流値制御ブロックを論値回路で表現した場合の構成を示す回路ブロック図である。
【図５】従来の電流ドライバー内蔵ＩＣの構成を示す回路ブロック図である。
【図６】ＩｒＤＡ赤外線通信装置の送信部の構成を示す回路ブロック図である。
【図７】従来の電流ドライバー内蔵ＩＣの第１の電流ドライブ方式を説明するための回路ブロック図である。
【図８】従来の電流ドライバー内蔵ＩＣの第２の電流ドライブ方式を説明するための回路ブロック図である。
【図９】従来の電流ドライバー内蔵ＩＣの第３の電流ドライブ方式を説明するための回路ブロック図である。
【図１０】従来の電流ドライバー内蔵ＩＣの第４の電流ドライブ方式を説明するための回路ブロック図である。
【図１１】従来の電流ドライバー内蔵ＩＣの第５の電流ドライブ方式を説明するための回路ブロック図である。
【符号の説明】
１            電流ドライバー内蔵ＩＣ
２            ドライブ電流値制御ブロック（選択手段）
３〜５        ＬＥＤドライバー（電流ドライバー）
１１          電流ドライバー内蔵ＩＣ
１２          ドライブ電流値制御ブロック（選択手段）
１３，１４    ＬＥＤドライバー（電流ドライバー）
ＴＸＩ１〜ＴＸＩ３
入力端子
ＴＸＯ１〜ＴＸＯ３
出力端子
ＴＸＩ１１，ＴＸＩ１２
入力端子
ＴＸＯ１１，ＴＸＯ１２
出力端子
Ｐ１          ＳＤ端子（制御端子）
Ｐ２          ＲＭ端子（制御端子）
【図１】
2004193361.tif 000004
【図２】
2004193361.tif 000005
【図３】
2004193361.tif 000006
【図４】
2004193361.tif 000007
【図５】
2004193361.tif 000008
【図６】
2004193361.tif 000009
【図７】
2004193361.tif 000010
【図８】
2004193361.tif 000011
【図９】
2004193361.tif 000012
【図１０】
2004193361.tif 000013
【図１１】
2004193361.tif 000014